(57)【要約】      （修正有）【課題】フレームに設けた記憶媒体挿入口から挿入した記憶媒体を安定して装置内部へと搬入すると共に、２枚目の記憶媒体が誤って挿入されるのを簡素な構造にて防止する。【解決手段】搬送ローラ３１と対を成す押圧部材３２を揺動可能に取付け、押圧部材３２は前方側に遮蔽部を形成し、両端部には軸を外方向へと延出形成し、さらに両端部近傍にはアーム３８ａを下方へと延出形成する。押圧部材３２とフレームとの間には、記憶媒体挿入口１から挿入する大径の記憶媒体３を搬送ローラ３１側へと押圧部材３２によって常に押圧するための付勢手段を設けると共に、付勢手段の付勢力に抗して前記両アーム３８ａを押圧する押圧手段を設け、両アーム３８ａを介して押圧部材３２を揺動することで記憶媒体挿入口１を一時的に閉鎖する。【選択図】図１６
2010080020.tif 000002
【特許請求の範囲】
【請求項１】
フレームに設けた記憶媒体挿入口近傍に挿入方向に対して直交して設けた搬送ローラと、前記搬送ローラと対を成して揺動可能に取付けた合成樹脂製の押圧部材とによって円盤状記憶媒体を装置内部へと搬入可能とする記憶媒体再生装置又は記憶媒体の記録及び再生装置において、前記押圧部材は既に装置内部へと記憶媒体の挿入が完了した状態から２枚目の記憶媒体が誤って挿入されるのを防止するために該押圧部材の揺動動作によって記憶媒体挿入口を閉鎖可能とする遮蔽部を一体に形成した概略Ｌ形断面を成し、且つ前記押圧部材の両端部には揺動支点となる軸を外方向へと突出し、さらに前記押圧部材の両端部近傍にはアームを略垂直方向へと延出形成し、また前記記憶媒体挿入口から挿入して搬入される記憶媒体を前記押圧部材を用いて前記搬送ローラ側へと押圧するための付勢手段を設け、前記記憶媒体の搬入動作が完了した状態で前記付勢手段の付勢力に抗して上記両アームを押圧することで前記押圧部材を強制的に揺動し、前記遮蔽部により記憶媒体挿入口を閉鎖するための押圧手段を備えたことを特徴とする記憶媒体再生装置又は記憶媒体の記録及び再生装置における記憶媒体搬送機構。
【請求項２】
上記付勢手段にはトーションバネを使用しており、前記トーションバネは押圧部材の上面側とフレームとの間に設置し、記憶媒体挿入口より挿入する記憶媒体の搬入時、或いは装置内部から前記記憶媒体挿入口へと送る記憶媒体の搬出時において、前記記憶媒体を常時搬送ローラと前記押圧部材とで挟持可能としたことを特徴とする請求項１記載の記憶媒体再生装置又は記憶媒体の記録及び再生装置における記憶媒体搬送機構。
【請求項３】
上記アームの押圧手段として、記憶媒体の挿入方向とほぼ平行に摺動するスライダーと、前記スライダーのスライド動作に連動して前記記憶媒体の挿入方向とほぼ直交する方向へと摺動する横スライダーとをフレームに取付け、前記スライダーには押圧部材に形成する一方のアームを付勢手段の付勢力に抗して押圧することで該押圧部材を揺動するための押圧部材揺動溝を形成して前記一方のアームを遊嵌し、前記横スライダーの一方側端部は前記スライダーと摺動可能に連結し、前記横スライダーの他方側端部には前記押圧部材が付勢手段の付勢力に抗して揺動が完了した状態で該押圧部材に形成する他方のアームを保持するための押圧部材揺動保持溝を形成して前記他方のアームを係合可能としたことを特徴とする請求項１、又は請求項２記載の記憶媒体再生装置又は記憶媒体の記録及び再生装置における記憶媒体搬送機構。
【請求項４】
前記フレームには、記憶媒体の情報の読込み、又は前記記憶媒体の情報の書込みを可能とするピックアップユニットと、記憶媒体挿入口より搬入される該記憶媒体を所定の位置において回転するためのターンテーブルとを備えたトラバースユニットを傾動可能に取付け、前記トラバースユニットの一方端部を前記フレームと連結して傾動支点とし、前記トラバースユニットの他方端部を上記横スライダーと連結して該横スライダーの摺動動作に連動して該トラバースユニットが傾動することを特徴とする請求項３記載の記憶媒体再生装置又は記憶媒体の記録及び再生装置における記憶媒体搬送機構。
【発明の詳細な説明】
【技術分野】
【０００１】
本発明は円盤状記憶媒体（以下、単に記憶媒体と称す）の挿抜を直接可能とする記憶媒体挿入口（以下、単に挿入口と称す）を備えた所謂スロットイン方式の記憶媒体再生装置又は記憶媒体の記録及び再生装置において、記憶媒体の安定した搬入動作を可能とし、且つ記憶媒体の搬入が完了した後で別の記憶媒体が誤って挿入されるのを確実に防止する記憶媒体挿入完了時における２枚目の記憶媒体挿入防止機構を備えたスロットイン方式の記憶媒体再生装置又は記憶媒体の記録及び再生装置に関するものである。
【背景技術】
【０００２】
以下、本発明におけるスロットイン方式の記憶媒体再生装置又は記憶媒体の記録及び再生装置を総称して記録再生装置、或いは単に装置と称して説明を続ける。
【０００３】
記録再生装置は一般的に該装置に設けた記憶媒体挿入口近傍に記憶媒体を搬送するための搬送ローラを備え、ユーザーが該記憶媒体挿入口から記憶媒体を挿入すると該搬送ローラが回転を始め、前記記憶媒体を装置内部へと搬送することが出来るように構成している。そして、装置内部の所定位置に搬送された記憶媒体は、ターンテーブルと前記ターンテーブルの対向位置に配設されるクランパーとによって挟持され、回転状態にある前記記憶媒体の記録面に光を照射し、情報の読込み或いは情報の書込みを行うピックアップユニットを用いて記憶媒体に記録された情報の再生や記憶媒体への情報の記録を行っている。これら記憶媒体の搬送構造については従来より多種に亘って存在している。
【０００４】
特開２００３−３１７３５５号に係る「ディスク再生装置」は、ディスク搬送ローラを支持するローラ支持体の動きを利用して、再生基板の、外筐に対する前後左右上下方向の移動を規制している。すなわち、ローラ支持体の左右側板部に前・後・左・右・上・下・当接部を設け、外筐の天板および底板には前記各当接部に対応する被当接部を設け、ディスク搬送ローラがディスク搬送位置にあるときは、各当接部とそれぞれ対応する被当接部との当接により、再生基板の前部の、外筐に対する前後左右上下方向の移動を規制している。
【０００５】
しかし、装置内部に挿入されたディスク（記憶媒体）を搬送ローラと共に挟持するガイド板と２枚目のディスクの挿入を防止する部材とを別々に設けている。その為、構成する部品点数が増加し、安価な装置を提供することが困難となる。又、ガイド板と２枚目ディスクの挿入防止部材とを金属製部品により構成しており、捩れや反りなどに対して有効な効果が望めるが、部品単価の高騰や装置全体の重量増加を招く虞がある。さらに、搬送ローラ側をガイド板に押し当てることで記憶媒体を挟持する構造としている為に、構造が複雑化してしまう。
【０００６】
尚、他の従来技術として、特開２００４−０４６９１３号に係る「ディスクガイド機構及びこのディスクガイド機構を用いたディスク再生装置」、特開２００３−２１７２０７号に係る「ディスク再生装置」、特開２００２−２３０８７８号に係る「ディスク再生装置」、特開２００１−３３１９９９号に係る「ディスク装置」、実開平０６−０１１１４２号に係る「ディスクプレーヤに於けるディスクチャッキング機構」などが知られている。これらの記録再生装置についても、搬送ローラを用いた記憶媒体の搬送構造は複雑化し、部品点数は多くなってしまう。
【特許文献１】特開２００３−３１７３５５号に係る「ディスク再生装置」
【特許文献２】特開２００４−０４６９１３号に係る「ディスクガイド機構及びこのディスクガイド機構を用いたディスク再生装置」
【特許文献３】特開２００３−２１７２０７号に係る「ディスク再生装置」
【特許文献４】特開２００２−２３０８７８号に係る「ディスク再生装置」
【特許文献５】特開２００１−３３１９９９号に係る「ディスク装置」
【特許文献６】実開平０６−０１１１４２号に係る「ディスクプレーヤに於けるディスクチャッキング機構」
【発明の開示】
【発明が解決しようとする課題】
【０００７】
このように、挿入口から挿入される記憶媒体を装置内部に搬送する構造には色々あるが、従来の記録再生装置には上記のごとき問題がある。本発明が解決しようとする課題は、この問題点であり、従来に比べて部品点数を少なくした簡単な記録媒体搬送構造を実現し、しかも記憶媒体を安定して装置内部へと搬送すると共に、既に装置内部へと記憶媒体の挿入が完了した状態から２枚目の記憶媒体が誤って挿入されるのを防止出来る記録再生装置の記憶媒体搬送機構を提供する。
【課題を解決するための手段】
【０００８】
本発明が対象とする記録再生装置は、外装を担うフレームに設けた記憶媒体挿入口からユーザーが直接記憶媒体を挿入し、これを搬送ローラにて装置内部へと引き込むことが出来る構造としている。そこで、前記記憶媒体挿入口付近には該記憶媒体の片面側から外周縁部近傍に当接して搬送する搬送ローラを取付け、該搬送ローラは駆動モータの動力が伝達機構を介して供給されることにより回転する。そして、搬送ローラは記録再生装置の前記記憶媒体挿入口と略平行を成して延び、該搬送ローラの両端部から中央部に向かって外径が小さくなるようにテーパーを成している。従って、挿入される記憶媒体が装置内部の搬送軌道からズレることを抑えることが出来、仮に位置がズレた状態で該記憶媒体が挿入された場合でも、テーパーを有する搬送ローラにより挿入する記録媒体を装置内部へと搬送しながら所定の軌道となるように中央に寄せることが可能となる。
【０００９】
そして、前記搬送ローラと対を成して挿入される記憶媒体を挟持すると共に、該搬送ローラ側へと押圧する押圧部材を装置内部において揺動可能に取付けている。前記押圧部材は、バネなどの付勢手段によって搬送ローラ側へ常時押圧力が付勢される。そして、押圧部材の両端部には下方に延出した支持部を介して該支持部の先端側から外方向へと軸を設け、この軸を支点に押圧部材は揺動することが出来る。
【００１０】
さらに押圧部材の前方側には、既に装置内部へと記憶媒体の挿入が完了した状態から２枚目の記憶媒体が誤って挿入されるのを防止するために挿入口を一時的に閉鎖する遮蔽部を一体的に形成し、装置内部の所定位置において記憶媒体がターンテーブルとクランパーとによって回転可能に挟持された時点で前記遮蔽部は挿入口を閉鎖した状態となる。この場合、付勢手段によって常時搬送ローラ側へと押圧力を与えていた押圧部材が付勢力に抗して軸を支点に揺動し、遮蔽部によって前記挿入口を閉鎖する構造となっている。尚、押圧部材を揺動するための有効手段として、本発明では押圧部材の両端部から略垂直方向へとアームを延出形成し、記録再生装置の下方側より上方側へと前記アームを押圧する押圧手段を設けることによって付勢力に抗した押圧部材の揺動動作及び動作後の状態維持を実現している。ここで本発明における押圧手段とは、装置内部において挿入された記憶媒体をクランパーと共に挟持して該記憶媒体を回転するためのターンテーブルと、回転状態の記憶媒体から必要な情報の読込みや書込みを行うピックアップユニットとを主要構成部品として備えたトラバースユニットを挿入する記憶媒体の大きさに応じて所定位置でタイミングよく傾動させることを可能とする記憶媒体の挿入方向とほぼ平行に摺動するスライダーと、前記スライダーと連結して前記記憶媒体の挿入方向とほぼ直交する方向へと摺動する横スライダーとを用いた構造としている。すなわち、前記スライダーと前記横スライダーの摺動動作に連動して押圧部材を揺動させ、２枚目の記憶媒体が装置内部へと誤って挿入されるのを防止することが出来る。
【発明の効果】
【００１１】
本発明に係る搬送構造は搬送ローラと押圧部材にて構成し、挿入口から挿入される記憶媒体は押圧部材によって搬送ローラ側に押圧されることでモータを動力源とする搬送ローラの回転により該記憶媒体は安定して確実に装置内部へと搬送される。また、前記押圧部材の両端部に支持部を介して該支持部の先端から外方向へと軸を設け、該軸を記録再生装置の外観を構成するフレームに形成した軸受けに嵌めて揺動を行う構造としている為、記憶媒体の搬送時おいて該記憶媒体を搬送ローラ側へと押圧する押圧部材の不要な捩れを抑えることが出来、安定した記憶媒体の搬送動作が可能となる。
【００１２】
そして、該押圧部材には遮蔽部を形成し、さらに前記押圧部材の両端部から略垂直方向へとアームを延出形成し、これら両アームを下方側から上方側へと押圧手段によって押圧することで、記憶媒体の搬送時における該記憶媒体の搬送のローラ側への押圧機能と、既に装置内部へと記憶媒体の挿入が完了した状態から２枚目の記憶媒体が誤って挿入されるのを防止する記憶媒体の誤挿入防止機能とを兼用して行うことが出来る。しかも、両機能を備えた押圧部材は簡素な構造でありながら、確実な動作を安定して実現している。
【実施例】
【００１３】
以下、本発明を実施するための最良の形態としての実施例を図１〜図１９により以下に説明する。尚、本発明はその主旨に反しない範囲で、実施例において説明した構成のものに対しても容易に適用可能である。
【００１４】
図１は本実施例における記録再生装置を示す外観斜視図である。同図の符号１は記憶媒体の挿抜を可能とする記憶媒体挿入口、２は装置内部へと搬送された記憶媒体を所定の位置においてターンテーブルと共に挟持する為のクランパーを回転自在に懸架するクランパー懸架部を夫々表している。尚、本実施例における記憶媒体とは、音声信号及び/又は映像信号を記録した、或いは前記信号の記録を可能とした略円盤形状を成す媒体であり、例えば、ＣＤ、ＤＶＤ、若しくはディスク等と称される媒体を示す。又、前記記憶媒体には直径が約１２０ＭＭである大径の記憶媒体と、直径が約８０ＭＭである小径の記憶媒体とが存在する。この記憶媒体を記憶媒体挿入口１より挿入することで装置内部の搬送機構が働き、前記記憶媒体は所定の位置へと搬入されることとなるが、このとき、挿入する記憶媒体の大きさが大径の記憶媒体であっても、或いは小径の記憶媒体であっても、その中心が装置内部の所定位置へと到達してターンテーブルとクランパーとによって確実に挟持される構造となっている。
【００１５】
そして本発明の記録再生装置はスロットイン方式である為に、上記記憶媒体挿入口１近傍には記憶媒体の挿入方向に対して直交する方向に延び、前記記憶媒体の片面側より外周縁近傍に当接する搬送ローラを有している。本実施例における搬送ローラについてさらに詳述すると、前記搬送ローラの両端部より中央に向かって径が小さくなるテーパー状と成っており、記憶媒体の記録面側から当接する構造としている。上述の構造により、テーパー状の搬送ローラは挿入する記憶媒体の記録面側より当接しても常に外周縁の近傍に当接することから記録面を傷付けることなく装置内部へと搬送することが可能となる。又、記憶媒体挿入口１は大径の記憶媒体が挿入可能な大きさで形成されていることから、小径の記憶媒体を挿入する場合には記憶媒体挿入口１の中心からズレて挿入されることが考えられる。しかし、搬送ローラの形状を両端部から中央に向かって径が小さくなるテーパー状に形成していることによって、記憶媒体挿入口１の中心からズレて小径の記憶媒体が挿入されても記録面を傷付けることなく中心位置へと寄せながら所定の位置へと搬送することが可能となる。
【００１６】
そして上記搬送ローラの一方端にはギアを取着しており、該ギアはその近傍に配設した駆動モータの動力を得て回転する。駆動モータの軸にはウォームギアを取付け、このウォームギアから減速ギア機構を介して上記搬送ローラへと動力の伝達を行い回転駆動している。尚、前記駆動モータの動力は、搬送ローラの回転の他に後述するスライダーの移動を行うための動力としても使用している。又、前述の減速ギア機構については搬送ローラ及び後述するスライダーへの適切な動力伝達が可能な構成であれば特に限定しないこととする。
【００１７】
次に記録再生装置の記憶媒体挿入口１から記憶媒体を挿入したときの動作について説明する。図２は記録再生装置の記憶媒体挿入口１に大径の記憶媒体３を一部挿入した状態を示す概略平面透視図である。同図の符号４ａ，４ｂは記憶媒体の挿入／排出を検知する検知スライダー、５ａ，５ｂは前記検知スライダーと一体に形成されていて挿入又は排出する記憶媒体の外周縁に当接するピン、６は検知レバー、７は装置内部の後方位置において記憶媒体の外周縁が当接する支持部材、８は中間ガイドレバー、９は装置の外装を担うフレームを夫々表している。上記検知スライダー４ａ，４ｂはフレーム９に設けている図示しないガイド部に沿って左右方向へと摺動可能に組付けられている。そして、各検知スライダー４ａ，４ｂと一体に形成しているピン５ａ，５ｂに挿入する大径の記憶媒体３の外周縁が当接することで、両ピン５ａ，５ｂが離間する方向へと押圧され、前記各スライダー４ａ，４ｂは外方向（同図の左右方向）へと摺動する。
【００１８】
図３は大径の記憶媒体３が図２の状態よりもさらに装置内部へと挿入された状態を示す概略平面透視図である。検知スライダー４ａ，４ｂは大径の記憶媒体３の外周縁に当接するピン５ａ，５ｂと共に外方向へと摺動し、同時に前記ピン５ａと連結する検知レバー６は軸１０を支点として時計方向に回動する。検知レバー６の回動構造について詳述すると、検知スライダー４ａと一体に形成されているピン５ａが検知レバー６の先端に形成している長溝１１に遊嵌した状態にて連結されており、該ピン５ａが大径の記憶媒体３の外周縁に押圧されて検知スライダー４ａが左外方向へと摺動すると共に、該ピン５ａの遊嵌によって該検知スライダー４ａと連結された検知レバーは軸１０と支点として時計方向へと回動することが出来る。
【００１９】
上記検知レバー６の奥側には中間ガイドレバー８が回動自在に配置されており、該中間ガイドレバー８にはピン１２を一体に形成している。又、前記検知レバー６には前記ピン１２が挿嵌可能な２つのセレクト溝１４ａ，１４ｂが他端部１３において対を成して形成されている。大径の記憶媒体３が挿入されて前記検知レバー６が時計方向に回動する前は、図２に示すように軸側に位置するセレクト溝１４ａにピン１２が遊嵌しており、図３に示すように大径の記憶媒体３がさらに挿入されることで検知レバー６が軸１０を支点として時計方向へと回動し、中間ガイドレバー８のピン１２が前記検知レバー６の他端部１３の下側に形成しているセレクト溝１４ａから離脱する。
【００２０】
図４は大径の記憶媒体３が装置内部へ約１／２搬入された状態を示す概略平面透視図である。図３の状態から大径の記憶媒体３がさらに装置内部へと挿入されることによって、該大径の記憶媒体３の外周縁に当接するピン５ａ，５ｂと共に検知スライダー４ａ，４ｂは外方向へと摺動し、同時に検知レバー６は軸１０を支点としてさらに時計方向へと回動する。
【００２１】
図５は大径の記憶媒体３が図４の状態よりもさらに装置内部へと挿入された状態を示す概略平面透視図である。この状態では、検知スライダー４ａ，４ｂは互いが近接する方向へと僅かに戻される。検知スライダー４ａ，４ｂは互いが近接する方向へと常時付勢力が働いており、記憶媒体の外周縁に当接するピン５ａ，５ｂ間の間隔は挿入する記憶媒体の直径を最大として付勢力に抗して離間するため、前記大径の記憶媒体３が半分以上挿入されると該大径の記憶媒体３の外周縁に当接しているピン５ａ，５ｂ間の距離は小さくなり、外方向へと摺動していた検知スライダー４ａ，４ｂは付勢力によって戻されることとなる。付勢力を発生させる一例として、本実施例では検知レバー６にコイルバネ１５を連結した構造としている。前記コイルバネ１５によって、検知レバー６を反時計方向へと回転するトルクを付勢し、該検知レバー６と連結している検知スライダー４ａは、付勢力によって内方向へと摺動し、同時にピニオンギア１６を介して噛み合っている検知スライダー４ｂも内側へと摺動することになる。
【００２２】
図６は大径の記憶媒体３が図５の状態よりもさらに装置内部へと挿入された状態を示す概略平面透視図である。検知レバー６は軸１０を支点に反時計方向へと回動すると共に、検知スライダー４ａ，４ｂは互いに近接する内側方向へと摺動する。そして、大径の記憶媒体３が搬送ローラにて搬入されることで、装置内部の後方位置に配設された支持部材７に前記大径の記憶媒体３の外周縁が当接し、該大径の記憶媒体３の搬送動作が押圧力となって前記支持部材７は装置の後方側へと移動させられる。尚、前記支持部材７に関しても記憶媒体３の外周縁が当接する前の位置を基準として常時この位置に復帰出来るよう付勢力が働いている。そして、この付勢力に抗して搬送される大径の記憶媒体３の押圧力により、前記支持部材７は装置の後方側へと移動することとなる。
【００２３】
図７は大径の記憶媒体３が装置内の所定の位置に搬入された状態を示す概略平面透視図である。前記図６に示すように、大径の記憶媒体３の後方側外周縁が支持部材７に当接し、さらに該大径の記憶媒体３が搬送ローラにて搬入されることによって、前記支持部材７は該大径の記憶媒体３に押圧されて装置の後方側へと移動し、それに伴い中間ガイドレバー８は反時計方向へと回動する。そしてコイルバネ１５の付勢力により、検知レバー６は更に反時計方向へと回転して、前記中間ガイドレバー８から起立するピン１２はセレクト溝１４ｂに遊嵌することとなる。
【００２４】
記録再生装置に対し、大径の記憶媒体３を挿入する前は、図２に示すように中間ガイドレバー８のピン１２は検知レバー６の他端部１３下側に形成したセレクト溝１４ａに遊嵌しているが、装置内部に搬送された大径の記憶媒体３の外周縁に押圧されて支持部材７は後方へと移動し、前記支持部材７と連結している中間ガイドレバー８が連動して反時計方向へと回動することでピン１２の位置が変わることとなる。前記ピン１２の位置が変わった状態にて検知スライダー４ａ，４ｂのピン５ａ，５ｂが前記大径の記憶媒体３の外周縁に当接しながら互いが近接する方向へと摺動し、前記検知スライダー４ａのピン５ａと連結している検知レバー６がコイルバネ１５の付勢力によって軸１０を支点に反時計方向へと回動し、前記中間ガイドレバー８のピン１２は検知レバー６の他端部１３上側に形成したセレクト溝１４ｂに遊嵌することとなる。中間ガイドレバー８のピン１２が検知レバー６のセレクト溝１４ｂに遊嵌した状態で該大径の記憶媒体３はさらに装置内部へと搬入され、支持部材７は該大径の記憶媒体３の搬送動作に付随して後方へと移動し、該支持部材７の移動に伴って中間ガイドレバー８はさらに反時計方向へと回動することとなる。そして、中間ガイドレバー８のピン１２が検知レバー６のセレクト溝１４ｂに遊嵌した状態となっている為、前記ピン１２が前記セレクト溝１４ｂを介して検知レバー６を後方へと移動させる。尚、検知レバー６の後方移動を可能とする為、支点となる軸１０が嵌る部分を長穴形状（以下、長穴４１と称す）とし、前記長穴４１に軸１０を遊嵌している。
【００２５】
尚、支持部材７と中間ガイドレバー８との連結構造について一例を詳述すると、支持部材７から起立するピン１７を中間ガイドレバー８の端部に形成したガイド溝１８に遊嵌し、前記支持部材７が大径の記憶媒体３に押圧されて後方へと移動することによってピン１７は遊嵌するガイド溝１８に沿って移動し、該中間ガイドレバー８は軸を支点に反時計方向へと回動することが出来る。
【００２６】
図８は前記図６に構成部品としてスライダー１９と減速ギア機構２０を追加した状態を示す概略平面透視図である。すなわち、本発明の記録再生装置には大径の記憶媒体３の挿入方向とほぼ平行に摺動可能とするスライダー１９が取付けられ、前記スライダー１９は上記検知レバー６、支持部材７、及び中間ガイドレバー８と連動して前記大径の記憶媒体３を装置内部の所定位置においてターンテーブルとクランパーとにより挟持することができる。同じく、小径の記憶媒体を挿入した場合においても、大径の記憶媒体３と区別して所定位置への搬入及び該所定位置でのターンテーブルとクランパーとによる挟持固定を可能としている。
【００２７】
上記減速ギア機構２０は駆動モータ（図示なし）から動力を得て回転し、ギア２１は搬送ローラと直結していて、ギア２１が回転することで大径の記憶媒体３は装置内部へと搬入される。図８の状態ではスライダー１９に設けているラックギア２２はギア２１と噛合していないが、該スライダー１９が僅かに後方へ移動することによって前記ラックギア２２は前記ギア２１と噛合して、駆動モータの動力によって該スライダー１９は摺動することが出来る。
【００２８】
スライダー１９には概略円弧状に湾曲した摺動カム溝２３を有し、この摺動カム溝２３には検知レバー６から下方に向かって設けた突片２４が遊嵌している。該突片２４は前記検知レバー６が軸１０を中心として回動する場合、摺動カム溝２３に沿って移動することが出来る。そして、大径の記憶媒体３の後方外周縁が支持部材７に当接し、該支持部材７が前記大径の記憶媒体３と共に後方へ移動するならば、中間ガイドレバー８が回動してピン１２が遊嵌するセレクト溝１４ｂを介して検知レバー６を後方へと移動する。その結果、摺動カム溝２３に遊嵌している突片２４がスライダー１９を後方へと僅かに移動させ、前記スライダー１９に設けているラックギア２２が上記ギア２１と噛合することとなる。
【００２９】
図９は検知レバー６の移動に伴ってスライダー１９のラックギア２２とギア２１とが噛合した状態を示す概略平面透視図である。駆動モータの動力により回転するギア２１とラックギア２２とが噛合することによって、スライダー１９は装置の後方側へと摺動することが出来る。ギア２１は減速ギア機構２０の一部品であり、大径の記憶媒体３を搬入出する搬送ローラへの回転力の伝達を行っているが、スライダー１９のラックギア２２が前記ギア２１と噛合することで前記スライダー１９は駆動モータの動力によって移動することとなる。
【００３０】
ところで、スライダー１９にはガイド溝２７が形成してあり、前記ガイド溝２７には前記スライダー１９と略直交してフレーム９に配設された横スライダー２９に形成された突片２８が遊嵌している。すなわち、スライダー１９の摺動動作によってガイド溝２７に遊嵌した突片２８が移動する為、該突片２８を形成した横スライダー２９についても、前記スライダー１９の移動に伴って摺動することとなる。そして、本実施例では、前記横スライダー２９の摺動動作に連動して、ターンテーブルやピックアップユニットを主要構成部品として備えたトラバースユニットの傾動が可能な構造としている。すなわち、記録再生装置内部の所定位置に大径の記憶媒体３が到達した時点でスライダー１９が駆動モータの動力によって該記録再生装置の後方側へと摺動するのに連動して横スライダー２９が移動し、該横スライダー２９の動作に連動してトラバースユニットが傾斜状態から水平状態へと傾動を開始する。そして、大径の記憶媒体３の記録面側より前記トラバースユニットのターンテーブルによって該大径の記憶媒体３を持ち上げ、前記ターンテーブルと対向する位置に配置されたクランパーと共に該大径の記憶媒体３を挟持することとなる。この時点では、搬送ローラから大径の記憶媒体３は離間した状態にあるが、該大径の記憶媒体３の外周縁においてはピン５や支持部材７が当接したままとなっている。
【００３１】
次に、大径の記憶媒体３の外周縁に当接しているピン５及び支持部材７が離間する構造について説明する。スライダー１９が記録再生装置の後方側へと移動することによって、突片２４が摺動カム溝２３に沿って移動し、前記突片２４を形成している検知レバー６が軸１０を支点とし、コイルバネ１５の付勢力に抗して時計方向へと僅かに回動する。そして、検知レバー６の回動に伴い、長溝１１に遊嵌したピン５ａと共に検知スライダー４ａが大径の記憶媒体３の外周縁から離間する方向へと移動し、前記検知スライダー４ａとピニオンギア１６を介して連結する検知スライダー４ｂについても互いが離間する方向へと移動する。
【００３２】
支持部材７が大径の記憶媒体３の外周縁より離間するタイミングに関してもスライダー１９の移動によるものである。すなわち、スライダー１９の後方端には２つのセレクトガイド溝２５ａ，２５ｂが形成されており、前記セレクトガイド溝２５ａ，２５ｂに選択的に遊嵌する突片２６が中間ガイドレバー８と一体に形成されている。前述したように、前記中間ガイドレバー８は支持部材７と連結した構造にある為、大径の記憶媒体３を挿入した場合、スライダー１９の移動により中間ガイドレバー８に形成した突片２６がセレクトガイド溝２５ａに遊嵌する。遊嵌した前記突片２６はセレクトガイド溝２５ａに嵌合した状態で前記スライダー１９と共に移動し、該突片２６が形成されている中間ガイドレバー８は軸を支点として反時計方向に回動する。前記中間ガイドレバー８の回動により、支持部材７は大径の記憶媒体３の外周縁より離間する方向へと移動することが出来る。図１０はスライダー１９が記録再生装置の後方側への摺動動作を完了した状態を示す概略平面透視図であり、突片２４は摺動カム溝２３の前方側端部へと位置する状態にまでスライダー１９が後方へと移動することとなる。
【００３３】
ところで、摺動カム溝２３はスライダー１９の摺動方向と平行となるよう形成されておらず、湾曲した形状となっている。その為、前記摺動カム溝２３に遊嵌している突片２４を介して検知レバー６は軸１０を支点として時計方向へと僅かに回動出来ると共に、該検知レバー６の先端に設けた長溝１１に遊嵌しているピン５ａを大径の記憶媒体３の外周縁から離間する方向へと移動することが出来る。
【００３４】
一方、スライダー１９の後方端に設けたセレクトガイド溝２５ａ，２５ｂに対して選択的に遊嵌可能とする突片２６は、例えば大径の記憶媒体３を挿入した場合、前記スライダー１９が記録再生装置の後方へと移動して前記セレクトガイド溝２５ａに突片２６が遊嵌し、該スライダー１９がさらに摺動することで前記セレクトガイド溝２５ａの溝底に達した前記突片２６を後方へと移動させることとなり、その結果、中間ガイドレバー８は軸と支点として反時計方向へと回動する。そして、前記中間ガイドレバー８の先端部にはガイド溝１８が形成してあり、前記ガイド溝１８には支持部材７から起立形成したピン１７が遊嵌している為、該中間ガイドレバー８の回動に伴って前記支持部材７は後方側へと移動し、該支持部材７は大径の記憶媒体３の外周縁から離間することとなる。
【００３５】
又、横スライダー２９に形成した突片２８が遊嵌するスライダー１９に形成したガイド溝２７は、前記スライダー１９の摺動方向とほぼ平行に形成された位置の異なる端部を斜めに連結した形状を成している。そして、前記スライダー１９に形成されたラックギア２２がギア２１に噛合するまでは、図９に示すように前記横スライダー２９の突片２８は前記ガイド溝２７の外側後方端に位置しているが、前記ラックギア２２が前記ギア２１と噛合して前記スライダー１９が記録再生装置の後方へと移動を開始すると傾斜部分を伝って、最終的には図１０に示すように前記突片２８は前記ガイド溝２７の内側前方端へと移動する。
【００３６】
従って、横スライダー２９はスライダー１９の移動に連動して、ガイド部に沿って右方向へと摺動することが出来る。横スライダー２９にはガイド溝（図示なし）が設けられており、ピックアップユニットやターンテーブルを主要構成部品とするトラバースユニット（図示なし）の一方端部は記録再生装置の外観を構成するフレーム９と連結して傾動支点とし、該トラバースユニットの他方端部は先端に突出した突起を横スライダー２９のガイド溝に遊嵌している。従って、大径の記憶媒体３が記録再生装置に挿入される前は一方端部を支点に傾斜した状態にあるトラバースユニットが、前記大径の記憶媒体３の挿入によるスライダー１９の摺動、及び前記スライダー１９の移動に連動した横スライダー２９の摺動によって、該横スライダー２９のガイド溝に遊嵌したトラバースユニットの突起が移動して前記トラバースユニットは略水平状態となるよう傾動する。そして、記録再生装置内部の所定位置にある大径の記憶媒体３の記録面側より、トラバースユニットに取付けられたターンテーブルが該トラバースユニットの傾動動作によって上昇して該大径の記憶媒体３を持ち上げ、クランパー懸架部２に懸架されたクランパーと共に該大径の記憶媒体３は挟持されることとなる。
【００３７】
図１１〜図１５は小径の記憶媒体３０を記憶媒体挿入口１から挿入している各行程を表した概略平面透視図である。図１１は記録再生装置の記憶媒体挿入口１に小径の記憶媒体３０を一部挿入した状態を示す概略平面透視図であり、前記図２の場合と同じく、符号４ａ，４ｂは検知スライダー、５ａ，５ｂはピン、６は検知レバー、７は支持部材、８は中間ガイドレバーを夫々表している。上記検知スライダー４ａ，４ｂはフレーム９に設けているガイド部にガイドされて左右方向へスライド出来るように成っている。そして、各検知スライダー４ａ，４ｂの先端に設けているピン５ａ，５ｂに挿入する小径の記憶媒体３０の外周縁が当接することで、前記ピン５ａ，５ｂは押圧されて互いが離間する外側へと摺動する。
【００３８】
図１２は小径の記憶媒体３０が図１１の状態よりもさらに装置内部へと挿入された状態を示す概略平面透視図であり、上記検知スライダー４ａ，４ｂは小径の記憶媒体３０の外周縁に沿って外側へと摺動し、同時に検知レバー６は軸１０を支点として時計方向へと回動する。検知スライダー４ａと一体に形成しているピン５ａは検知レバー６の先端に形成している長溝１１に遊嵌していて、該ピン５ａが検知スライダー４ａと共に左外方向へと摺動するならば、検知レバー６は時計方向へと回動する。
【００３９】
上記中間ガイドレバー８にはピン１２を起立し、このピン１２は検知レバー６の他端部１３に形成しているセレクト溝１４ａに遊嵌している。小径の記憶媒体３０の挿入と共に検知レバー６は軸１０を支点として時計方向に回動するが、回動する角度が小さい為にピン１２はセレクト溝１４ａから離脱することはない。これに対して大径の記憶媒体３の場合には、前記図３に示すように検知レバー６の回動する角度が大きくなる為、ピン１２はセレクト溝１４ａから離脱することとなる。
【００４０】
図１３は小径の記憶媒体３０が図１２の状態よりもさらに挿入された状態を示す概略平面透視図である。前記小径の記憶媒体３０の外径の半分以上が記録再生装置の内部へと挿入されると、検知レバー６は軸１０を支点に反時計方向へと回動すると共に、検知スライダー４ａ，４ｂは該小径の記憶媒体３０の外周縁に当接しながら互いが近接する方向へと摺動する。但し、図１３で示す状態では記録再生装置の後方に配置された支持部材７に挿入された小径の記憶媒体３０の外周縁は当接しておらず、ある程度の間隔を残している。
【００４１】
図１４は小径の記憶媒体３０が図１３の状態よりもさらに挿入された状態を示す概略平面透視図である。同図で示すように、小径の記憶媒体３０の外周縁から検知スライダー４ａ，４ｂの端部に形成しているピン５ａ，５ｂは離れてしまうが、図示しない搬送ローラと後述する押圧部材により該小径の記憶媒体３０は記録再生装置の内部へとさらに搬送されることとなる。尚、該搬送ローラは端部から中央部分に向かって小径と成るようにテーパーを形成している為、該小径の記憶媒体３０は搬入されると共に中央へと移動する。例えば、記憶媒体挿入口１の端部から小径の記憶媒体３０を挿入したとしても、前記搬送ローラの形状によって該小径の記憶媒体３０は記録再生装置内部の中央部分に向かって搬入されることとなる。
【００４２】
図１５は図１４の状態よりもさらに記録再生装置の内部へと搬入する小径の記憶媒体３０の外周縁が支持部材７に当接し、該小径の記憶媒体３０の搬入移動と共に支持部材７が僅かに後方へと押圧されて移動した状態を示す概略平面透視図である。小径の記憶媒体３０は搬送ローラによって記録再生装置の後方へと移動し、該小径の記憶媒体３０の外周縁によって支持部材７を押圧して後退させる。そして、前記支持部材７の後退に伴い、中間ガイドレバー８は軸を支点に反時計方向へと回動し、該中間ガイドレバー８に形成したピン１２がセレクト溝１４ａに遊嵌している為に検知レバー６は後方へと移動する。
【００４３】
検知レバー６の後方移動の構造については大径の記憶媒体３を挿入する場合とほぼ同じである。すなわち、検知レバー６の他端部１３に形成しているセレクト溝１４ａには中間ガイドレバー８に起立形成したピン１２が遊嵌しており、中間ガイドレバー８が軸を支点として反時計方向へと回動することによって、前記ピン１２を介して検知レバー６は後方へと引かれることとなる。そして、前記検知レバー６の回動支点部分には長穴４１が形成されており、この長穴４１に軸１０が嵌っている構造としている為、該長穴４１の範囲内で前記検知レバー６は移動することが出来る。前記検知レバー６の後方移動に伴ってスライダー１９が後方へと移動し、前記スライダー１９のラックギア２２とギア２１とが噛合して駆動モータの動力により前記スライダー１９は記録再生装置の後方側へと移動することについては、大径の記憶媒体３を挿入するときの前記図９〜図１０にて説明した内容とほぼ同じである。
【００４４】
尚、大径の記憶媒体３を挿入する場合と、小径の記憶媒体３０を挿入する場合とにおいて、スライダー１９が駆動モータの動力によって摺動するタイミングと、支持部材７が記憶媒体の外周縁から離間するタイミングとが異なる。すなわち、大径の記憶媒体３を記録再生装置へと挿入した場合には、図６〜図７に示すように、中間ガイドレバー８に起立形成したピン１２が検知レバー６の端部１３に形成したセレクト溝１４ｂに遊嵌した状態で該検知レバー６は後方へと引かれてスライダー１９のラックギア２２とギア２１とが噛合し、図８〜図１０に示すように、駆動モータの動力によって記録再生装置の後方へと移動する前記スライダー１９の後方端部に形成したセレクトガイド溝２５ａに中間ガイドレバー８に形成した突片２６が遊嵌して、該大径の記憶媒体３の外周縁から支持部材７を離間する方向へと移動させる。一方、小径の記憶媒体３０を記録再生装置へと挿入した場合には、図１４〜図１５に示すように前記ピン１２はセレクト溝１４ａに遊嵌した状態で該検知レバー６は後方へと引かれてスライダー１９のラックギア２２とギア２１とが噛合し、図示しないが、駆動モータの動力によって記録再生装置の後方へと移動する前記スライダー１９の後方端部に形成したセレクトガイド溝２５ｂに中間ガイドレバー８に形成した突片２６が遊嵌して、該小径の記憶媒体３０の外周縁から支持部材７を離間する方向へと移動させる。
【００４５】
これら異径の記憶媒体に対応した構造の違いについては、記録再生装置内部の所定位置、すなわち挿入された記憶媒体をターンテーブルとクランパーとによって挟持する位置に確実に到達させると共に、該記憶媒体が挟持された後で保持機能を有する支持部材７を確実に離間させるためにある。本実施例においては、２種のセレクト溝１４ａ，１４ｂ、セレクトガイド溝２５ａ，２５ｂ、及びこれらに遊嵌するピン１２、突片２６という構成によって実現しており、電気的手段を用いず安価に対応可能としている。
【００４６】
尚、小径の記憶媒体３０をターンテーブルとクランパーとで挟持する手段については大径の記憶媒体３を挿入した場合と同じである。すなわち、スライダー１９の移動に合わせて摺動する横スライダー２９の移動によって傾動するトラバースユニットに取付けられたターンテーブルが小径の記憶媒体３０の記録面側から該記憶媒体を持ち上げると共に、対向位置のクランパー懸架部２に懸架されたクランパーと共に該小径の記憶媒体３０を挟持することとなる。ターンテーブルによって持ち上げられた小径の記憶媒体３０は搬送ローラから離間した状態にあり、且つ前記クランパーとによって挟持された後は該小径の記憶媒体３０の外周縁から支持部材７等の当接していた部品が離間している状態になることから、ターンテーブルにより該小径の記憶媒体３０を回転してピックアップユニットによる情報の読込み又は書込みが可能となる。
【００４７】
図１６は本実施例の記録再生装置における記憶媒体挿入口近傍を示す内部縦断面図である。同図の符号１は記憶媒体挿入口、３は大径の記憶媒体、３１は搬送ローラ、３２は押圧部材を夫々表している。搬送ローラ３１は記憶媒体挿入口１の後方位置に配置され、該記憶媒体挿入口１に沿って平行に延びる細い棒体を成しているが、該搬送ローラ３１の両端部から中央部に向いてその外径が僅かに小さくなるようにテーパーを形成している。記憶媒体挿入口１から挿入された大径の記憶媒体３は搬送ローラ３１に載り、該搬送ローラ３１が時計方向（矢印方向）に回転することで、前記大径の記憶媒体３は記録再生装置内部へと引き込まれる。しかも、前記搬送ローラ３１は両端部から中央部に向かって細くなるように僅かにテーパー状と成っている為に、前記大径の記憶媒体３、特に小径の記憶媒体３０の場合には、記憶媒体挿入口１の端部側から挿入されても、その搬入途中において中央部へと移動することが出来る。
【００４８】
ところで、回転する搬送ローラ３１上に大径の記憶媒体３が載置されただけの状態では、該大径の記憶媒体３は前記搬送ローラ３１上でスリップし、記録再生装置の内部へと確実に搬入できない虞がある。そこで、記録再生装置の内部へと挿入された大径の記憶媒体３を搬送ローラ３１側へと押圧する為の押圧部材３２を該搬送ローラ３１の対向位置に配設している。すなわち、本実施例では、記録再生装置の内部へと挿入される大径の記憶媒体３の記録面側である記憶媒体挿入口１近傍の下方位置に搬送ローラ３１を配設し、該搬送ローラ３１の対向位置となる記憶媒体挿入口１近傍の上方位置に押圧部材３２を配設した構造としており、前記記憶媒体挿入口１より挿入された大径の記憶媒体３を押圧部材３２が該大径の記憶媒体３の表示面側より搬送ローラ３１側へと押圧して記録再生装置内部への搬入を可能としている。尚、この押圧部材３２は主に合成樹脂を材料として形成しており、形成の容易さは勿論のこと、該押圧部材３２によって挿入する大径の記憶媒体３などが損傷しないよう考慮している。
【００４９】
前記押圧部材３２と、この押圧部材３２を配設しているフレーム９との間には、搬送ローラ３１側への押圧力を発生させる為の付勢部材を設けており、本実施例においてはトーションバネ３５を前記付勢部材として取付けている。前記トーションバネ３５の付勢力によって、押圧部材３２を常時搬送ローラ３１へと押圧した状態としている。そして、前記押圧部材３２は同図で示すように、軸を支点にトーションバネ３５の付勢力によって搬送ローラ３１に向かって低くなるように傾斜している為、記憶媒体挿入口１から挿入される大径の記憶媒体３は押圧部材３２によって前記搬送ローラ３１側へと押圧された状態、すなわち、前記搬送ローラ３１と前記押圧部材３２とによって大径の記憶媒体３が挟持された状態で記録再生装置の内部へと確実に搬入することが出来る。
【００５０】
図１７は大径の記憶媒体３が記録再生装置内部の所定位置において、ターンテーブル３３によって持ち上げられた状態を示す内部縦断面図である。ターンテーブル３３はトラバースユニットに取付けられており、記憶媒体挿入口１から搬送ローラ３１の回転により搬入された大径の記憶媒体３が所定の位置に達したところで、傾斜状態にあったトラバースユニットが一方端部を支点にクランパー側へと傾動し、該トラバースユニットが略水平状態となったときには前記大径の記憶媒体３はターンテーブル３３によって持ち上げられた状態となる。さらに詳述すれば、本実施例における記憶媒体は外形が略円盤形状を成し、中央部分に貫通孔を有した所謂ディスク状記憶媒体であり、トラバースユニットと共に傾動するターンテーブル３３の一部が前記記憶媒体の貫通孔に嵌入して持ち上げることとなる。同図で示すように、大径の記憶媒体３がターンテーブル３３によって持ち上げられた状態においては、該大径の記憶媒体３は搬送ローラ３１から離間した状態にある。そして、上記押圧部材３２は軸を支点として後述する押圧手段によって付勢力に抗して略水平となるよう揺動している。
【００５１】
ところで、該押圧部材３２の前方側（記憶媒体挿入口側）には遮蔽部３４を形成しており、該遮蔽部３４は前記押圧部材３２が略水平となるよう揺動することで記憶媒体挿入口１を閉鎖することが出来る。すなわち、大径の記憶媒体３が記録再生装置の内部へと搬入されてターンテーブル３３によって持ち上げられるならば、押圧部材３２が付勢力に抗して略水平となるよう揺動し、遮蔽部３４によって記憶媒体挿入口１を閉鎖して２枚目の記憶媒体が該記憶媒体挿入口１から誤って挿入されるのを防止することが出来る。大径の記憶媒体３に対する情報の読込み（再生）、若しくは情報の書込み（記録）については、ターンテーブル３３と連結した回転駆動モータの動力によって持ち上げられた大径の記憶媒体３が回転し、該大径の記憶媒体３の記録面よりトラバースユニットに備えたピックアップユニットが回転方向に直交して移動することにより行う。大径の記憶媒体３に対する情報の読込み、或いは情報の書込みが終了して記録再生装置の内部から前記大径の記憶媒体３を搬出する場合には、トラバースユニットの一方端部を支点として傾斜状態となるよう下降すると共に前記押圧部材３２は付勢力によって水平状態から傾斜状態となるよう揺動する為、前記押圧部材３２形成した遮蔽部３４は記憶媒体挿入口１を閉鎖していた状態から上方へと移動して該記憶媒体挿入口１を開口することとなる。
【００５２】
そして、トラバースユニットが一方端部を支点として傾斜状態となるよう傾動することで、大径の記憶媒体３の記録面側外周縁近傍と搬送ローラ３１とが当接すると共に、該大径の記憶媒体３の表示面側からトーションバネ３５の付勢力によって押圧部材３２が前記搬送ローラ３１側へと押圧力を付与することとなる。搬送ローラ３１と押圧部材３２とによって大径の記憶媒体３を挟持し、且つ前記押圧部材３２によって前記搬送ローラ３１側へと該大径の記憶媒体３を押圧した状態で搬送ローラ３１は反時計方向（矢印と反対方向）へと回転し、該大径の記憶媒体３は記憶媒体挿入口１から搬出される。
【００５３】
ところで、記録再生装置に対する大径の記憶媒体３の搬入／搬出は、上記搬送ローラ３１の回転駆動により行われるが、該搬送ローラ３１の回転始動／停止には主に検知スイッチが用いられている。本実施例の場合、大径の記憶媒体３、或いは小径の記憶媒体３０の搬送時に外周縁へと当接する検知スライダー４ａ，４ｂの摺動動作を利用して検知スイッチの操作を行っている。すなわち、検知スライダー４ａ，４ｂの摺動軌道上において検知スイッチをＯＮ／ＯＦＦ可能な状態で配設している。本実施例についてさらに詳述すると、一方の検知スライダー４ｂの摺動軌道上に該検知スライダー４ｂに押圧されてＯＮ／ＯＦＦ可能な２個の検知スイッチを並設配置した構造としている。すなわち、本実施例の記録再生装置は、大径の記憶媒体３と小径の記憶媒体３０の何れの記憶媒体が挿入された場合でも搬入／搬出を確実に行うための構造としている。
【００５４】
並設配置された２個の検知スイッチの内、記憶媒体挿入口１の内側寄りに配設された検知スイッチ（以下、検知スイッチＡと称す）は、前記記憶媒体挿入口１から大径の記憶媒体３、又は小径の記憶媒体３０が挿入されたときに該記憶媒体の外周縁に当接して摺動する検知スライダー４ｂに押圧されてＯＮとなり、駆動モータが回転を開始し、該駆動モータを動力源として搬送ローラ３１が回転を開始する。又、前記検知スイッチＡは記憶媒体の搬入が完了したときの駆動モータの停止にも関係している。すなわち、記憶媒体の挿入により検知スイッチＡをＯＮ状態とする検知スライダー４ｂは該記憶媒体の外周縁に沿って摺動する為、記憶媒体挿入口１の中央位置を基準として離間する方向へと摺動していた前記検知スライダー４ｂは該中央位置へ戻り前記検知スイッチＡから一度離れてＯＦＦとなる。そして、前述で説明したように、記憶媒体が所定の位置においてターンテーブル３３とクランパーとによって挟持された後、スライダー１９に形成された摺動カム溝２３に遊嵌している突片２４が該スライダー１９の摺動に伴って移動することによって検知レバー６は軸１０を支点として時計方向へと僅かに回動する。そして、前記検知レバー６とピン５ａの遊嵌によって連結している検知スライダー４ａが記憶媒体挿入口１の中央位置から僅かに離間する方向へと摺動するのに合わせて検知スライダー４ｂも摺動し、前記検知スイッチＡを再度押圧してＯＮ状態とする。このときに駆動モータの回転を停止し、該駆動モータを動力源とする搬送ローラ３１についても停止することとなる。
【００５５】
次に記録再生装置の内部から記憶媒体を搬出するときの検知スイッチの役割について説明する。本実施例の記録再生装置を内蔵する電子機器の表示面等に設けられている操作ボタンの内、記憶媒体の搬出に関するボタンを操作することによって、前記記録再生性装置の駆動モータが記憶媒体を搬入するときとは逆の方向（前述で説明したときの反時計方向）へと回転を開始する。そして、装置内部の所定位置においてターンテーブル３３とクランパーとにより挟持された記憶媒体はトラバースユニットの下方傾動動作によって挟持状態は解除され、前記駆動モータを動力源とする搬送ローラ３１によって記憶媒体挿入口１へと搬出される。ここで大径の記憶媒体３を搬出する場合、該大径の記憶媒体３の外周縁に沿って摺動する検知スライダー４ｂによって検知スイッチＡ、及び該検知スイッチＡと一定の間隔を設けて並設された検知スイッチ（以下、検知スイッチＢと称す）とをＯＮ／ＯＦＦすることとなる。又、小径の記憶媒体３０を搬出する場合には、該小径の記憶媒体３０の外周縁に沿って摺動する検知スライダー４ｂによって検知スイッチＡのみをＯＮ／ＯＦＦすることとなる。これは、搬出する記憶媒体の径の違いによるものであり、押圧する検知スイッチの状態に合わせて搬出する記憶媒体が大径の記憶媒体３であるか、或いは小径の記憶媒体３０であるかを検知すると共に、前記記憶媒体の種類に応じて駆動モータの停止のタイミングを調整し、記憶媒体挿入口１から突出する量を最適にする構造となっている。
【００５６】
大径の記憶媒体３を搬出する場合は、ターンテーブル３３にて持ち上げる記録再生装置内部の所定位置から記憶媒体挿入口１に突出するまでの間において、検知スライダー４ｂの摺動動作により検知スイッチＡと検知スイッチＢとを押圧する。さらに詳述すれば、記録再生装置の内部において挟持状態が解除された大径の記憶媒体３は、押圧部材３２によって搬送ローラ３１側へと押圧され、該搬送ローラ３１の回転によって記憶媒体挿入口１へと搬出される。搬出移動する前記大径の記憶媒体３の外周縁に当接する検知スライダー４ｂは、最初に検知スイッチＡを押圧してＯＮ状態とし、さらに大径の記憶媒体３が搬出方向へと移動すれば、前記検知スイッチＡに続き検知スイッチＢも押圧してＯＮ状態となる。すなわち、前記大径の記憶媒体３によって検知スライダー４ａ及び検知スライダー４ｂが互いに最も離間する状態において、検知スイッチＡ及び検知スイッチＢは何れも押圧されてＯＮ状態となっている。この状態から前記大径の記憶媒体３が搬送ローラ３１によってさらに搬出移動すると、該大径の記憶媒体３の外周縁に沿って検知スライダー４ａ及び検知スライダー４ｂが互いに近接する方向へと移動し、該検知スライダー４ｂは検知スイッチＢから離れて該検知スイッチＢはＯＦＦ状態となる。検知スイッチＡがＯＮ状態であって、検知スイッチＢがＯＮ状態からＯＦＦ状態へと切換わったときに駆動モータを停止することで、大径の記憶媒体３は記憶媒体挿入口１からその一部が適度に突出した状態で停止することとなり、該記憶媒体挿入口１から前記大径の記憶媒体３が落下することはない。
【００５７】
一方、小径の記憶媒体３０を搬出する場合には前記大径の記憶媒体３を搬出する場合とは異なり、検知スライダー４ｂの摺動動作によって検知スイッチＡのみを押圧することとなる。そして、検知スイッチＡがＯＮ状態からＯＦＦ状態へと切換わったときに駆動モータを停止することによって、前記小径の記憶媒体３０は記憶媒体挿入口１からその一部が適度に突出した状態で停止することとなり、該記憶媒体挿入口１から前記小径の記憶媒体３０が落下することはない。以上のことから、本実施例では検知スライダー４ｂの搬送軌道上に検知スイッチＡ及び検知スイッチＢを設け、該検知スライダー４ｂの移動量に応じて記憶媒体挿入時における駆動モータの始動／停止、及び異なる径を有する記憶媒体の搬出時における駆動モータの停止が可能な構造としている。
【００５８】
図１８は大径の記憶媒体３及び小径の記憶媒体３０を記憶媒体挿入口１から一部挿入した状態を示す概略平面透視図である。尚、同図においては大径の記憶媒体３と小径の記憶媒体３０とを重ねた状態で表示しているが、実際には何れか１枚の記憶媒体のみを挿入することとなる。ところで押圧部材３２には前方側（記憶媒体挿入口側）に遮蔽部３４を形成してあり、概略Ｌ形断面を成していることは前述のとおりである。そして前記押圧部材３２の両端部には軸３７，３７を延出して形成しており、記録再生装置のフレーム９に軸支されている。又、押圧部材３２の上方部分には前記フレーム９との間に２個のトーションバネ３５，３５を取付けており、該押圧部材３２の全体に亘って均等な付勢力を付加し、該押圧部材３２が常に搬送ローラ３１に向かって傾斜した状態としている。
【００５９】
図１９は本実施例における押圧部材３２の具体的形状を示す斜視図である。該押圧部材３２の両端部には軸３７，３７が外方向へと延出形成してあり、又、前記両端部近傍にはアーム３８ａ，３８ｂを下方へと延出形成している。該押圧部材３２は軸３７，３７を中心として揺動するように軸支されており、記憶媒体の搬入／搬出時においてはトーションバネ３５，３５の付勢力が働いて該押圧部材３２は軸３７，３７を支点として傾斜した状態となっている。そして、押圧手段によってアーム３８ａ，３８ｂを下方側より押圧することで、押圧部材３２がトーションバネ３５，３５の付勢力に抗して軸３７，３７を支点に揺動し、該押圧部材３２の前方側に形成した遮蔽部３４が下降して記憶媒体挿入口１を閉鎖することとなる。尚、アーム３８ａ，３８ｂに対する押圧手段が解除されるならば、トーションバネ３５，３５の付勢力によって前記押圧部材３２は軸３７，３７を支点として前記遮蔽部３４が上方する方向へと揺動し、前記記憶媒体挿入口１は開口する。
【００６０】
ここで、本実施例における押圧手段について図９を用いて説明する。本実施例においては、アーム３８ａ，３８ｂを下方側より押圧する手段としてスライダー１９、及び横スライダー２９の摺動動作を利用した構造としている。スライダー１９には駆動モータの動力を伝達するためにギア２１と噛合するラックギア２２が形成してあり、同図はギア２１がスライダー１９のラックギア２２と噛合した状態を示している。そして、前記スライダー１９にはラックギア２２と略平行に押圧部材揺動溝３９が設けてあり、前記押圧部材揺動溝３９に前記押圧部材３２から下方へ延出形成された一方のアーム３８ａが遊嵌している。尚、該アーム３８ａは押圧部材３２の後方側より下方に向かって延出形成している。一方、同図において横スライダー２９の右先端部にも押圧部材揺動溝４０が形成されている。前記横スライダー２９は前記スライダー１９の摺動動作に連動して横方向へと移動することが出来、該横スライダー２９の摺動動作によって前記押圧部材３２の下方へ延出形成された他方のアーム３８ｂが前記押圧部材揺動溝４０に係合することとなる。
【００６１】
図１６に示す押圧部材３２のアーム３８ａはスライダー１９に形成している押圧部材揺動溝３９に遊嵌して後方端に位置し、他方のアーム３８ｂは横スライダー２９の押圧部材揺動溝４０と係合していない位置にある。そこで、スライダー１９がギア２１及びラックギア２２の噛合により後方へ摺動するならば、アーム３８ａは押圧部材揺動溝３９の入口側端に達して上方側へと押圧し、同時に横スライダー２９が右方向へ移動することで他方のアーム３８ｂが押圧部材揺動溝４０と係合して該押圧部材３２を略水平状態で保持することとなる。従って、前記押圧部材３２のアーム３８ａ，３８ｂは、スライダー１９及び横スライダー２９の摺動動作によって下方側より押圧することとなり、該押圧部材３２はトーションバネ３５，３５の付勢力に抗して揺動し、図１７に示すように記憶媒体挿入口１が遮蔽部３４にて閉鎖される状態のままその状態を保持されることとなる。
【図面の簡単な説明】
【００６２】
【図１】本実施例における記録再生装置を示す外観斜視図。
【図２】記録再生装置の記憶媒体挿入口に大径の記憶媒体を一部挿入した状態を示す概略平面透視図。
【図３】大径の記憶媒体が図２の状態よりもさらに装置内部へと挿入された状態を示す概略平面透視図。
【図４】大径の記憶媒体が装置内部へ約１／２搬入された状態を示す概略平面透視図。
【図５】大径の記憶媒体が図４の状態よりもさらに装置内部へと挿入された状態を示す概略平面透視図。
【図６】大径の記憶媒体が図５の状態よりもさらに装置内部へと挿入された状態を示す概略平面透視図。
【図７】図７は大径の記憶媒体が装置内の所定の位置に搬入された状態を示す概略平面透視図。
【図８】図６に構成部品としてスライダーと減速ギア機構を追加した状態を示す概略平面透視図。
【図９】検知レバーの移動に伴ってスライダーのラックギアとギアとが噛合した状態を示す概略平面透視図。
【図１０】スライダーが記録再生装置の後方側への摺動動作を完了した状態を示す概略平面透視図。
【図１１】記録再生装置の記憶媒体挿入口に小径の記憶媒体を一部挿入した状態を示す概略平面透視図。
【図１２】小径の記憶媒体が図１１の状態よりもさらに装置内部へと挿入された状態を示す概略平面透視図。
【図１３】小径の記憶媒体が図１２の状態よりもさらに挿入された状態を示す概略平面透視図。
【図１４】小径の記憶媒体が図１３の状態よりもさらに挿入された状態を示す概略平面透視図。
【図１５】小径の記憶媒体の外周縁が支持部材に当接して該小径の記憶媒体の搬入移動と共に支持部材が僅かに後方へと押圧されて移動した状態を示す概略平面透視図。
【図１６】本実施例の記録再生装置における記憶媒体挿入口近傍を示す内部縦断面図。
【図１７】大径の記憶媒体が記録再生装置内部の所定位置においてターンテーブルによって持ち上げられた状態を示す内部縦断面図。
【図１８】大径の記憶媒体及び小径の記憶媒体を記憶媒体挿入口から一部挿入した状態を示す概略平面透視図。
【図１９】本実施例における押圧部材３２の具体的形状を示す斜視図。
【符号の説明】
【００６３】
１  記憶媒体挿入口
２  クランパー懸架部
３  大径の記憶媒体
４ａ  検知スライダー
４ｂ  検知スライダー
５ａ  ピン
５ｂ  ピン
６  検知レバー
７  支持部材
８  中間ガイドレバー
９  フレーム
１０  軸
１１  長溝
１２  ピン
１３  他端部
１４ａ  セレクト溝
１４ｂ  セレクト溝
１５  コイルバネ
１６  ピニオンギア
１７  ピン
１８  ガイド溝
１９  スライダー
２０  減速ギア機構
２１  ギア
２２  ラックギア
２３  摺動カム溝
２４  突片
２５ａ  セレクトガイド溝
２５ｂ  セレクトガイド溝
２６  突片
２７  ガイド溝
２８  突片
２９  横スライダー
３０  小径の記憶媒体
３１  搬送ローラ
３２  押圧部材
３３  ターンテーブル
３４  遮蔽部
３５  トーションバネ
３６  回転駆動モータ
３７  軸
３８ａ  アーム
３８ｂ  アーム
３９  押圧部材揺動溝
４０  押圧部材揺動溝
４１  長穴
【図１】
2010080020.tif 000003
【図２】
2010080020.tif 000004
【図３】
2010080020.tif 000005
【図４】
2010080020.tif 000006
【図５】
2010080020.tif 000007
【図６】
2010080020.tif 000008
【図７】
2010080020.tif 000009
【図８】
2010080020.tif 000010
【図９】
2010080020.tif 000011
【図１０】
2010080020.tif 000012
【図１１】
2010080020.tif 000013
【図１２】
2010080020.tif 000014
【図１３】
2010080020.tif 000015
【図１４】
2010080020.tif 000016
【図１５】
2010080020.tif 000017
【図１６】
2010080020.tif 000018
【図１７】
2010080020.tif 000019
【図１８】
2010080020.tif 000020
【図１９】
2010080020.tif 000021